(57)【要約】【課題】ボウル部の前方側から排水トラップ部の入口へ流れる洗浄水の勢いを強めることができ、便器洗浄に使用する洗浄水量を少なく設定した場合においても、汚物排出性能を向上させることができる水洗大便器を提供する。【解決手段】本発明の水洗大便器１は、汚物受け面１０と棚部１２とを備えたボウル部４と、このボウル部の上縁に形成されたリム部１４と、ボウル部の後方側の棚部１２ａ又はその上流の導水路内に形成されて上方に向って突出する立壁部２０と、を有し、この立壁部は、洗浄水源から供給されてボウル部の後方の中央導水路６の中央吐水口８から吐水された洗浄水が立壁部に衝突した後に、左右に配置されたボウル部の側方側に分流し、ボウル部の側方側棚部１２ｂを経由してボウル部の前方側へ流れるように形成されている。【選択図】図１
2014047561.tif 000002
【特許請求の範囲】
【請求項１】
洗浄水源から供給された洗浄水により便器本体を洗浄して汚物を排出する水洗大便器であって、
汚物を受ける汚物受け面と、この汚物受け面の上縁に形成された棚部と、を備えたボウル部と、
このボウル部の上縁に形成されて上記ボウル部内に洗浄水を吐水するリム部と、
上記ボウル部の下方に形成された溜水部と、
この溜水部の下端に接続された入口から後方へ延びるように形成されて汚物を排出する排水トラップ部と、
上記ボウル部の後方側の棚部又はその上流の導水路内に形成されて上方に向って突出する立壁部と、を有し、
この立壁部は、上記洗浄水源から供給されて上記ボウル部の後方のほぼ中央の導水路から吐水された洗浄水が上記立壁部に衝突した後に、左右に配置された上記ボウル部の側方側に分流し、上記ボウル部の側方側の上記棚部を経由して上記ボウル部の前方側へ流れるように形成されていることを特徴とする水洗大便器。
【請求項２】
上記リム部は、その後方面が所定の隙間を介して上記立壁部の一部を覆うように形成されている請求項１記載の水洗大便器。
【請求項３】
上記立壁部は、平面視において、上記棚部の周方向に沿うように曲がり形状に形成されている請求項１又は２に記載の水洗大便器。
【請求項４】
上記立壁部は、正面視において、その中央部が最も高くなるように形成され、上記立壁部の側端部に向うにつれて低くなるように形成されている請求項１乃至３の何れか１項に記載の水洗大便器。
【請求項５】
上記立壁部は、正面視において、左右対称に形成されている請求項１乃至４の何れか１項に記載の水洗大便器。
【請求項６】
上記ボウル部は、更に、その前方側に上記棚部が形成されていない非棚部領域又は上記棚部のうちで最も傾斜している傾斜棚部領域と、上記汚物受け面の前方側の中央領域に前後方向に延びるように形成された凹部と、を備えている請求項１乃至５の何れか１項に記載の水洗大便器。
【請求項７】
洗浄水源から供給された洗浄水により便器本体を洗浄して汚物を排出する水洗大便器であって、
汚物を受ける汚物受け面と、この汚物受け面の上縁に形成された棚部と、を備えたボウル部と、
このボウル部の上縁に形成されて上記ボウル部内に洗浄水を吐水するリム部と、
上記ボウル部の下方に形成された溜水部と、
この溜水部の下端に接続された入口から後方へ延びるように形成されて汚物を排出する排水トラップ部と、
上記ボウル部の後方側の棚部又はその上流の導水路内に形成されて上方に向って突出する立壁部と、を有し、
上記リム部は、その後方面が所定の隙間を介して上記立壁部の一部を覆うように形成されていることを特徴とする水洗大便器。
【発明の詳細な説明】
【技術分野】
【０００１】
本発明は、水洗大便器に係り、特に、洗浄水源から供給された洗浄水により便器本体を洗浄して汚物を排出する水洗大便器に関する。
【背景技術】
【０００２】
従来から、洗浄水源から供給された洗浄水により便器本体を洗浄して汚物を排出する水洗大便器として、例えば、特許文献１に記載されているように、便器本体のリム部の後方面に、水平方向に偏平なスリット開口が形成されたものが知られている。このような水洗大便器においては、スリット開口の近傍の上流側の導水路に洗浄水を左右に分配する分配部が設けられ、洗浄水源からこの導水路内に供給された洗浄水は、分配部を通過することにより左右に分配され、スリット開口からボウル部へ洗浄水が吐水されるようになっている。そして、この左右に分配された洗浄水は、ボウル部の棚部上を旋回してリム部の前側からトラップ入口に向けた主流を形成し、この主流により汚物を溜水と共にトラップ内に押し込んで排出するようになっている。
【先行技術文献】
【特許文献】
【０００３】
【特許文献１】特開２００９−９７１７２号公報
【発明の概要】
【発明が解決しようとする課題】
【０００４】
しかしながら、上述した従来の水洗大便器においては、スリット開口から吐水される洗浄水のうち、ボウル部の前方側へと十分に旋回することなく、ボウル部の後方面に直接流れ落ちてしまうものもあるため、ボウル部の前方側から排水トラップ部の入口へと流れ込む洗浄水の流れが弱くなり、洗浄不良になるという問題がある。したがって、ボウル部の前方側へ旋回させる洗浄水量をいかに増やし、ボウル部の前方側から排水トラップ部の入口へ流れる洗浄水の流れをいかに強めて汚物排出性能を向上させるかが重大な課題となっている。
また、従来の水洗大便器においては、便器本体のリム部の後方面に形成されたスリット開口は、便器本体のリム部の後方面の下方部分に形成されているが、このスリット開口よりも上方の部分が、洗浄水が旋回する棚部よりも上方に位置しているため、ボウル部の前方側へ旋回させる洗浄水量を増やしたとしても、特に、ボウル部の後方面において洗浄されない部分（不洗浄部）が多く残されてしまうという問題もある。
【０００５】
そこで、本発明は、上述した従来技術の問題を解決するためになされたものであり、ボウル部の前方側から排水トラップ部の入口へ流れる洗浄水の勢いを強めることができ、便器洗浄に使用する洗浄水量を少なく設定した場合においても、汚物排出性能を向上させることができる水洗大便器を提供することを目的としている。
【課題を解決するための手段】
【０００６】
上述した目的を達成するために、本発明は、洗浄水源から供給された洗浄水により便器本体を洗浄して汚物を排出する水洗大便器であって、汚物を受ける汚物受け面と、この汚物受け面の上縁に形成された棚部と、を備えたボウル部と、このボウル部の上縁に形成されて上記ボウル部内に洗浄水を吐水するリム部と、上記ボウル部の下方に形成された溜水部と、この溜水部の下端に接続された入口から後方へ延びるように形成されて汚物を排出する排水トラップ部と、上記ボウル部の後方側の棚部又はその上流の導水路内に形成されて上方に向って突出する立壁部と、を有し、この立壁部は、上記洗浄水源から供給されて上記ボウル部の後方のほぼ中央の導水路から吐水された洗浄水が上記立壁部に衝突した後に、左右に配置された上記ボウル部の側方側に分流し、上記ボウル部の側方側の上記棚部を経由して上記ボウル部の前方側へ流れるように形成されていることを特徴としている。
このように構成された本発明においては、洗浄水源から供給されてボウル部の後方のほぼ中央の導水路から吐水された洗浄水は、立壁部に衝突した後に、左右に配置されたボウル部の側方側に分流し、ボウル部の側方側の棚部を経由してボウル部の前方側へ流れる。この際、洗浄水が立壁部に衝突して一旦受け止められるため、ボウル部の側方側の棚部を経由してボウル部の前方側へ流れる洗浄水量を増やすことができる。したがって、ボウル部の前方側から排水トラップ部の入口へ流れ込む洗浄水の勢いを強めて汚物を押し込むことができるため、便器洗浄に使用する洗浄水量を少なく設定した場合においても、汚物排出性能を向上させることができる。
【０００７】
本発明において、好ましくは、上記リム部は、その後方面が所定の隙間を介して上記立壁部の一部を覆うように形成されている。
このように構成された本発明においては、洗浄水源から供給された洗浄水がボウル部の後方のほぼ中央の導水路から立壁部に向けて吐水され、この洗浄水の一部が立壁部を乗り越えた際に、この乗り越えた洗浄水がリム部の後方面と立壁部との所定の隙間からボウル部の汚物受け面の後方側に流れ込むことができる。したがって、立壁部に衝突した後にボウル部の側方側の棚部を経由してボウル部の前方側へ流れる洗浄水のみでは、洗浄し難いボウル部内の後方側の領域を良好に洗浄することができる。また、リム部の後方面が所定の隙間を介して立壁部の一部を覆うように形成されていることにより、不洗浄部であるリム部の後方面の面積を小さくすることができるため、便器本体の清掃性を向上させることができる。
【０００８】
本発明において、好ましくは、上記立壁部は、平面視において、上記棚部の周方向に沿うように曲がり形状に形成されている。
このように構成された本発明においては、立壁部が平面視において棚部の周方向に沿うように曲がり形状に形成されていることにより、立壁部に吐水されて受け止められた洗浄水を立壁部に沿ってボウル部の前方側に滑らかに導くことができるため、ボウル部の後方の導水路からボウル部の側方側の棚部を経由してボウル部の前方側へ流れる洗浄水量を増やすことができる。したがって、ボウル部の前方側から排水トラップ部の入口へ流れ込む洗浄水の勢いを強めて汚物を押し込むことができるため、便器洗浄に使用する洗浄水量を少なく設定した場合においても、汚物排出性能を向上させることができる。
【０００９】
本発明において、好ましくは、上記立壁部は、正面視において、その中央部が最も高くなるように形成され、上記立壁部の側端部に向うにつれて低くなるように形成されている。
このように構成された本発明においては、洗浄水源から供給されてボウル部の後方のほぼ中央の導水路から吐水された洗浄水が最も衝突する立壁部の中央部について、立壁部のうちで最も高く形成し、立壁部の側端部に向うにつれて低くなるように形成することにより、立壁部の中央部に衝突してボウル部の側方側の棚部からボウル部の前方側へ流れる洗浄水量を確保すると共に、立壁部を乗り越えてボウル部の汚物受け面の後方側に流れ込む洗浄水量を均一にすることができる。したがって、便器洗浄に使用する洗浄水量を少なく設定した場合においても、ボウル部の汚物受け面の全体における洗浄を良好に行うことができる。
【００１０】
本発明において、好ましくは、上記立壁部は、正面視において、左右対称に形成されている。
このように構成された本発明においては、洗浄水源から供給されてボウル部の後方のほぼ中央の導水路から吐水された洗浄水が立壁部の中央部に衝突してボウル部の側方側の棚部からボウル部の前方側へ流れる洗浄水量と、立壁部を乗り越えてボウル部の汚物受け面の後方側に流れ込む洗浄水量をそれぞれ均一にすることができる。したがって、ボウル部の前方側と汚物受け面の後方側から排水トラップ部の入口へ流れ込む洗浄水の勢いを強めて汚物を押し込むことができるため、便器洗浄に使用する洗浄水量を少なく設定した場合においても、汚物排出性能を向上させることができる。
【００１１】
本発明において、好ましくは、上記ボウル部は、更に、その前方側に上記棚部が形成されていない非棚部領域又は上記棚部のうちで最も傾斜している傾斜棚部領域と、上記汚物受け面の前方側の中央領域に前後方向に延びるように形成された凹部と、を備えている。
このように構成された本発明においては、立壁部に衝突した後に、ボウル部の側方側の棚部を経由してボウル部の前方側へ流れる洗浄水は、ボウル部の非棚部領域又は傾斜棚部領域と、ボウル部の汚物受け面の前方側の中央領域の凹部により、ボウル部の前方側から排水トラップ部の入口へ流れ込み、洗浄水の勢いを強めて汚物を押し込むことができる。さらに、ボウル部の左右の側方側の棚部を経由してボウル部の前方側で合流した洗浄水の流れは、合流の際の衝突により乱れを生じるが、ボウル部の中央領域の凹部により、乱れをボウル部の前方側から排水トラップ部の入口へ流れる流れへと整えることができる。したがって、便器洗浄に使用する洗浄水量を少なく設定した場合においても、汚物排出性能を向上させることができる。
【００１２】
また、本発明は、洗浄水源から供給された洗浄水により便器本体を洗浄して汚物を排出する水洗大便器であって、汚物を受ける汚物受け面と、この汚物受け面の上縁に形成された棚部と、を備えたボウル部と、このボウル部の上縁に形成されて上記ボウル部内に洗浄水を吐水するリム部と、上記ボウル部の下方に形成された溜水部と、この溜水部の下端に接続された入口から後方へ延びるように形成されて汚物を排出する排水トラップ部と、上記ボウル部の後方側の棚部又はその上流の導水路内に形成されて上方に向って突出する立壁部と、を有し、上記リム部は、その後方面が所定の隙間を介して上記立壁部の一部を覆うように形成されていることを特徴としている。
このように構成された本発明においては、洗浄水源から供給された洗浄水をリム部からボウル部に吐水する際、立壁部を乗り越えた洗浄水がリム部の後方面と立壁部との所定の隙間からもボウル部内の後方側に流れ込むことができるため、ボウル部内の後方側を洗浄することができる。また、リム部の後方面が所定の隙間を介して立壁部の一部を覆うように形成されていることにより、不洗浄部であるリム部の後方面の面積を小さくすることができるため、便器本体の清掃性を向上させることができる。
【発明の効果】
【００１３】
本発明の水洗大便器によれば、ボウル部の前方側から排水トラップ部の入口へ流れる洗浄水の勢いを強めることができ、便器洗浄に使用する洗浄水量を少なく設定した場合においても、汚物排出性能を向上させることができる。
【図面の簡単な説明】
【００１４】
【図１】本発明の一実施形態による水洗大便器の平面図である。
【図２】図１のＩＩ−ＩＩ線に沿って見た断面図である。
【図３】本発明の一実施形態による水洗大便器におけるリム部の後方側部分と中央導水路の上面を切り取った状態を示す分解斜視図である。
【図４】図１のＩＶ−ＩＶ線に沿って見た断面図である。
【図５】図４に示す本発明の一実施形態による水洗大便器においてリム部の後方側部分を切り取った状態を示す正面断面図である。
【図６】図２に示す本発明の一実施形態による水洗大便器の立壁部の部分を拡大した部分拡大断面図である。
【図７】図１のＶＩＩ−ＶＩＩ線に沿って見た断面図である。
【図８】本発明の一実施形態による水洗大便器における便器洗浄時の洗浄水の流れについて説明した図である。
【発明を実施するための形態】
【００１５】
以下、添付図面を参照して本発明の一実施形態による水洗大便器について説明する。
図１は本発明の一実施形態による水洗大便器の平面図であり、図２は図１のＩＩ−ＩＩ線に沿って見た断面図である。なお、図２においては、洗浄水の流れを矢印で示している。
図１及び図２に示すように、本発明の一実施形態による水洗大便器１は、ボウル部内の水の落差による流水作用で汚物を押し流す、いわゆる、洗い落し式の水洗大便器であり、陶器等からなる便器本体２を有する。また、便器本体２の後部の上方には、便器洗浄に使用される洗浄水を貯水して便器本体２へ給水する洗浄水源として重力給水式の貯水タンク（図示せず）が設けられている。
なお、便器本体２へ洗浄水を供給する洗浄水源としては、本実施形態で示した重力給水式の貯水タンク（図示せず）のようなタンク式のものに限られず、水道水の給水圧を直接利用した水道直圧式のものや、フラッシュバルブ式のものや、ポンプの補圧を利用して洗浄水を供給するものであってもよい。また、本実施形態の水洗大便器１においては、一例として、便器本体２の底部が床に設置された、いわゆる、床置き式の水洗大便器の形態について説明するが、このような形態に限られず、便器本体の背面側が後壁等に設置された、いわゆる、壁掛け式の水洗大便器のような形態であってもよい。
【００１６】
つぎに、便器本体２の前方上部には、ボウル部４が形成されている。一方、便器本体２の後方上部の左右水平方向のほぼ中央部分には、前後方向に延びるように中央導水路６が形成され、貯水タンク（図示せず）から中央導水路６に供給された洗浄水は、この中央導水路６の下流側端部（中央導水路６の前端）に位置する中央吐水口８に向けて導水されるようになっている。
【００１７】
つぎに、ボウル部４は、汚物を受ける汚物受け面１０と、この汚物受け面１０の上縁に形成された棚部１２とを備え、ボウル部４の上縁には、全周に亘ってリム部１４が形成されている。
また、ボウル部４の下方には、初期水位の溜水面がＷ０で示されている所定量の溜水が貯留されている溜水部１６が形成されている。さらに、この溜水部１６の下端には、排水トラップ管路１８の入口１８ａが接続されており、排水トラップ管路１８は、その入口１８ａから後方へと延び、その下流側端部が排水ソケット（図示せず）を介して、床下の排出管（図示せず）に接続されている。
【００１８】
さらに、図１及び図２に示すように、便器本体２のボウル部４の後方側の棚部１２ａには、上方に向って突出する立壁部２０（詳細は後述する）が形成されている。
また、図１及び図２に示すように、立壁部２０の後方側には、中央導水路６と連通し且つ中央吐出口８から左右両側に分岐する後方側リム導水路２２が形成されている。洗浄水源である貯水タンク（図示せず）から供給されてボウル部４の後方の中央導水路６から吐水された洗浄水は、立壁部２０の背面２０ａの中央部付近に衝突した後に、左右に配置されたそれぞれの後方側リム導水路２２内に分流し、ボウル部４の側方側の棚部１２ｂを経由してボウル部４の前方側へ旋回可能となっている。
【００１９】
つぎに、図１〜図７により、上述した本実施形態の水洗大便器のボウル部、リム部、及び立壁部の詳細について説明する。
図３は、本発明の一実施形態による水洗大便器におけるリム部の後方側部分と中央導水路の上面を切り取った状態を示す分解斜視図である。また、図４は、図１のＩＶ−ＩＶ線に沿って見た断面図であり、図５は、図４に示す本発明の一実施形態による水洗大便器においてリム部の後方側部分を切り取った状態を示す正面断面図である。さらに、図６は、図２に示す本発明の一実施形態による水洗大便器の立壁部の部分を拡大した部分拡大断面図である。なお、図６においては、立壁部を乗り越えた洗浄水の流れを矢印で示している。
【００２０】
まず、図１及び図３に示すように、立壁部２０は、平面視において、後方側の棚部１２ａの周方向に沿うように曲がり形状に形成されている。これにより、ボウル部４の後方の中央導水路６の中央吐水口８から吐水された洗浄水は、立壁部２０の背面２０ａの中央部付近に衝突して立壁部２０によって一旦受け止められた後、後方側リム導水路２２内を立壁部２０の背面２０ａに沿ってボウル部４の後方の両側から前方側へ滑らかに導かれるようになっている。
【００２１】
つぎに、図３及び図５に示すように、リム部１４の後方側部分１４ａを切り取った状態では、立壁部２０は、正面視において、その中央部Ｃの上端２０ｂが最も高くなるように形成され、立壁部２０の両側に位置する側端部２０ｃに向うにつれて徐々に低くなるように形成され、且つ中央部Ｃを中心に左右対称に形成されている。これにより、ボウル部４の後方の中央導水路６の中央吐水口８から吐水されて立壁部２０の背面２０ａに衝突した洗浄水が後方側リム導水路２２からボウル部４の側方側の棚部１２ｂを経由してボウル部４の前方側へ旋回するための洗浄水量を確保することができるようになっている。さらに、中央導水路６の中央吐水口８から立壁部２０に向けて吐水された洗浄水の一部が立壁部２０を乗り越えてボウル部４の汚物受け面１０の後方側に流れ込む洗浄水量を均一にすることができるようになっている。
【００２２】
つぎに、図４及び図６に示すように、リム部１４の後方側部分１４ａは、立壁部２０の上端２０ｂと正面２０ｄの上方部分が所定の隙間を介して部分的に覆われるようにオーバーハングされた形状に形成されたリム垂下壁部１４ｂを備えている。すなわち、このリム垂下壁部１４ｂと立壁部２０との間に形成される隙間は、実質的には、リム部１４の後方側においてスリット状の開口（スリット開口２４）を形成している。これにより、中央導水路６の中央吐水口８から立壁部２０に向けて吐水された洗浄水の一部が立壁部２０を乗り越えた際に、この乗り越えた洗浄水がリム部１４の後方側部分１４ａのリム垂下壁部１４ｂと立壁部２０との間のスリット開口２４を通過し、ボウル部４の汚物受け面１０の後方側に流れ込むことができるため、ボウル部４内の後方側を洗浄することができるようになっている。
また、リム垂下壁部１４ｂが所定の隙間（スリット開口２４）を介して立壁部２０の一部を覆うように形成されていることにより、不洗浄部であるリム垂下壁部１４ｂの表面１４ｃの面積Ｓを小さくすることができ、便器本体２の清掃性を向上させることができるようになっている。
【００２３】
ちなみに、図６に示す立壁部２０の最大高さ寸法ｈについては、３０ｍｍ〜５０ｍｍに設定するのが好ましく、３５ｍｍ〜４５ｍｍに設定するのが最も好ましい。
また、立壁部２０の上端２０ｂと後方側リム導水路２２内の上面２２ｂとの間に形成される鉛直方向の隙間間隔ｄ１（図６参照）については、５ｍｍ〜１５ｍｍに設定するのが好ましく、８ｍｍ〜１２ｍｍに設定するのが最も好ましい。
さらに、スリット開口２４の隙間間隔ｄ２（図６参照）については、５ｍｍ〜１５ｍｍに設定するのが好ましく、８ｍｍ〜１２ｍｍに設定するのが最も好ましい。
また、図６に示すように、リム垂下壁部１４ｂが立壁部２０の上端２０ｂから正面２０ｄの上方部分を覆っている区間（オーバーラップ区間）に形成される流路に沿った立壁部２０の上端２０ｂ付近からリム垂下壁部１４ｂの下端付近までの長さ寸法ｌについては、１０ｍｍ〜２０ｍｍに設定するのが好ましく、１３ｍｍ〜１７ｍｍに設定するのが最も好ましい。
【００２４】
つぎに、図１〜図５に示すように、立壁部２０の両側の側端部２０ｃの近傍には、後方側リム導水路２２のリム吐水口２６がそれぞれ形成されている。これらのリム吐水口２６のそれぞれから吐水された洗浄水は、ボウル部４の側方側の棚部１２ｂに沿って前方側へ流れることにより、ボウル部４の前方側へ旋回することができるようになっている。
【００２５】
また、図７は、図１のＶＩＩ−ＶＩＩ線に沿って見た断面図である。図１、図２及び図７に示すように、ボウル部４は、汚物受け面１０の前方側の領域に棚部１２が形成されていない非棚部領域Ａ１を備え、この非棚部領域Ａ１の後方側の汚物受け面１０、より具体的に説明すると、溜水部１６の前方側に位置する汚物受け面１０の前方側の中央領域Ａ２には、下方に凹み且つ前後方向に延びる凹部２８が形成されている。これにより、リム吐水口２６のそれぞれから吐水されてボウル部４の側方側の棚部１２ｂを経由してボウル部４の前方側の非棚部領域Ａ１へ旋回した洗浄水は、汚物受け面１０の前方側の中央領域Ａ２の凹部２８内に流れ込むことができ、凹部２８から溜水部１６を経て排水トラップ管路１８の入口１８ａへ流れ込む洗浄水の勢いを強めて汚物を押し込むことができるようになっている。さらに、ボウル部４の左右の側方側の棚部１２ｂを経由してボウル部４の前方側で合流した洗浄水の流れは、合流の際の衝突により乱れを生じるが、ボウル部４の中央領域Ａの凹部２８により、乱れをボウル部４の前方側から排水トラップ部１８の入口１８ａへ流れる流れへと整えることができるようになっている。
【００２６】
つぎに、図１〜図８により、本発明の一実施形態による水洗大便器の作用を説明する。
図８は、本発明の一実施形態による水洗大便器における便器洗浄時の洗浄水の流れについて説明した図である。なお、図８においては、洗浄水の流れを矢印で示している。
図８に示すように、洗浄水源から水洗大便器１の便器本体２の中央導水路６内に洗浄水が供給され、便器洗浄が開始されると、中央導水路６内の洗浄水は、中央吐水口８から前方へ吐出され、中央吐水口８と対向する立壁部２０の背面２０ａの中央部付近に衝突する（図８の流れｆ１参照）。
この衝突後、立壁部２０を乗り越えられない洗浄水は、中央吐水口８の左右両側に配置された後方側リム導水路２２の入口２２ａから流入して、後方側リム導水路２２のそれぞれに分流する（図８の流れｆ２参照）。
そして、この後方側リム導水路２２に沿って下流側に流れた洗浄水は、リム吐水口２６からその前方の側方側棚部１２ｂに吐水され、この側方側棚部１２ｂに沿ってボウル部４の前方側の非棚部領域Ａ１へと旋回する（図８の流れｆ３参照）。
【００２７】
つぎに、このボウル部４の前方側の非棚部領域Ａ１（ボウル部４内の前端付近）において、両側の側方側棚部１２ｂのそれぞれを旋回した流れが合流し、汚物受け面１０の前方側の中央領域Ａ２の凹部２８内に流れ込む。そして、洗浄水は、最終的には、凹部２８から後方の溜水部１６を経て排水トラップ管路１８の入口１８ａへ勢いよく流れ込み、ボウル部４内の汚物を排出する（図８の流れｆ４参照）。
【００２８】
一方、図６及び図８に示すように、中央導水路６の中央吐水口８から立壁部２０に向けて吐水された洗浄水のうち、立壁部２０を乗り越えた洗浄水は、リム部１４の後方側部分１４ａのリム垂下壁部１４ｂと立壁部２０との所定の隙間（スリット開口２４）からボウル部４の汚物受け面１０の後方側に流れ込み、ボウル部４内の後方側を洗浄する（図６及び図８の流れｆ５参照）。
【００２９】
上述した本発明の一実施形態による水洗大便器１によれば、洗浄水源から供給されてボウル部４の中央導水路６から吐水された洗浄水は、立壁部２０の背面２０ａに衝突し、一旦立壁部２０で受け止められて、洗浄水量を増した状態で、左右に配置されたボウル部４の後方側リム導水路２２の入口２２ａに分流し、後方側リム導水路２２内を流れ、リム吐水口２６からボウル部４の側方側棚部１２ｂを経由してボウル部４の前方側へ旋回することができる。したがって、ボウル部４の前方側へ旋回させる洗浄水量を増やすことができるため、ボウル部４の前方側から排水トラップ管路１８の入口１８ａへ流れ込む洗浄水の勢いを強めて汚物を押し込むことができる。この結果、便器洗浄に使用する洗浄水量を少なく設定した場合においても、汚物排出性能を向上させることができる。
【００３０】
また、本実施形態による水洗大便器１によれば、洗浄水源から供給された洗浄水がボウル部４の後方の中央導水路６の中央吐水口８から立壁部２０に向けて吐水され、この洗浄水の一部が立壁部２０を乗り越えた際に、この乗り越えた洗浄水がリム部１４の後方側部分１４ａのリム垂下壁部１４ｂと立壁部２０との所定の隙間（スリット開口２４）からボウル部４の汚物受け面１０の後方側に流れ込むことができる。したがって、立壁部２０に衝突した後にボウル部４の側方側棚部１２ｂを経由してボウル部４の前方側へ流れる洗浄水のみでは、洗浄し難いボウル部４内の後方側の領域を良好に洗浄することができる。また、リム垂下壁部１４ｂが所定の隙間（スリット開口２４）を介して立壁部２０の一部を覆うように形成されていることにより、不洗浄部であるリム垂下壁部１４ｂの表面１４ｃの面積Ｓを小さくすることができ、便器本体２の清掃性を向上させることができる。
【００３１】
さらに、本実施形態による水洗大便器１によれば、立壁部２０は、平面視において、後方側の棚部１２ａの周方向に沿うように曲がり形状に形成されていることにより、ボウル部４の後方の中央導水路６の中央吐水口８から吐水された洗浄水は、立壁部２０の背面２０ａの中央部付近に衝突して立壁部２０によって一旦受け止められた後、後方側リム導水路２２内を立壁部２０の背面２０ａに沿ってボウル部４の後方の両側から前方側へ滑らかに導かれるため、ボウル部４の後方の後方側導水路２２からボウル部４の側方側棚部１２ｂを経由してボウル部４の前方側へ旋回する洗浄水量を増やすことができる。したがって、ボウル部４の前方側から排水トラップ管路１８の入口１８ａへ流れ込む洗浄水の勢いを強めて汚物を押し込むことができるため、便器洗浄に使用する洗浄水量を少なく設定した場合においても、汚物排出性能を向上させることができる。
【００３２】
また、本実施形態による水洗大便器１によれば、立壁部２０は、正面視において、その中央部Ｃの上端２０ｂが最も高くなるように形成され、立壁部２０の両側に位置する側端部２０ｃに向うにつれて徐々に低くなるように形成され、且つ左右対称に形成されているため、ボウル部４の後方の中央導水路６の中央吐水口８から吐水されて立壁部２０の背面２０ａに衝突した洗浄水が後方側リム導水路２２からボウル部４の側方側の棚部１２ｂを経由してボウル部４の前方側へ旋回するための洗浄水量を確保することができる。さらに、中央導水路６の中央吐水口８から立壁部２０に向けて吐水された洗浄水の一部が立壁部２０を乗り越えてボウル部４の汚物受け面１０の後方側に流れ込む洗浄水量を均一にすることができる。これらの結果、便器洗浄に使用する洗浄水量を少なく設定した場合においても、ボウル部４の汚物受け面１０の全体における洗浄を良好に行うことができ、汚物排出性能を向上させることができる。
【００３３】
さらに、本実施形態による水洗大便器１によれば、両側の側方側棚部１２ｂのそれぞれを旋回した流れがボウル部４の前方側の非棚部領域Ａ１で合流し、汚物受け面１０の前方側の中央領域Ａ２の凹部２８内に流れ込むと、この凹部２８の後方の溜水部１６を経て排水トラップ管路１８の入口１８ａへ勢いよく流れ込み、汚物を押し込むことができる。さらに、ボウル部４の左右の側方側の棚部１２ｂを経由してボウル部４の前方側で合流した洗浄水の流れは、合流の際の衝突により乱れを生じるが、ボウル部４の中央領域Ａの凹部２８により、乱れをボウル部４の前方側から排水トラップ部１８の入口１８ａへ流れる流れへと整えることができる。したがって、便器洗浄に使用する洗浄水量を少なく設定した場合においても、汚物排出性能を向上させることができる。
【００３４】
なお、上述した本発明の一実施形態による水洗大便器においては、ボウル部４が、汚物受け面１０の前方側の領域に棚部１２が形成されていない非棚部領域Ａ１を備えた形態について説明したが、このような形態に限られず、非棚部領域Ａ１の代わりに、棚部全周のうち、前方から後方に向って最も下り傾斜している棚部が形成された領域（傾斜棚部領域）を汚物受け面１０の前方側の領域に設けた形態であってもよい。これにより、ボウル部４の前方側の傾斜棚部領域において、両側の側方側棚部１２ｂのそれぞれを旋回した流れが合流し、汚物受け面１０の前方側の中央領域Ａ２の凹部２８内に流れ込むと、この凹部２８の後方の溜水部１６を経て排水トラップ管路１８の入口１８ａへ勢いよく流れ込むことができる。したがって、便器洗浄に使用する洗浄水量を少なく設定した場合においても、汚物排出性能を向上させることができる。
【００３５】
また、本実施形態による水洗大便器１においては、例として、洗い落し式の水洗大便器について説明したが、サイホン作用を利用してボウル部内の汚物を吸い込んで排水トラップ管路から一気に外部に排出する、いわゆる、サイホン式の水洗大便器であってもよい。
【００３６】
さらに、本実施形態による水洗大便器１においては、リム吐水口２６とスリット開口２４によるリム吐水のみを行うような形態について説明したが、このような形態に限られず、ゼット導水路及びゼット吐水口によるゼット吐水と上述したリム吐水とを併用して行うような形態であってもよい。
【００３７】
さらに、本実施形態による水洗大便器１においては、立壁部２０が便器本体２のボウル部４の後方側の棚部１２ａに形成されている形態について説明したが、このような形態に限られず、ボウル部の後方側の棚部よりも上流に位置する導水路内に立壁部を設けてもよい。これにより、不洗浄部であるリム部の後方側部分のリム垂下壁部の表面積を小さくすることができ、便器本体の清掃性を向上させることができる。
【００３８】
また、本実施形態による水洗大便器１においては、立壁部２０が、正面視において、その中央部Ｃの上端２０ｂが最も高くなるように形成され、立壁部２０の両側に位置する側端部２０ｃに向うにつれて徐々に低くなるように形成され、且つ中央部Ｃを中心に左右対称に形成された形態について説明したが、このような形態に限られず、他の実施形態として、立壁部の高さが中央部に対して左右非対称となるように設定してもよい。これにより、リム吐水口から吐水された洗浄水をボウル部内で旋回させて合流させる位置をボウル部内の左右非対称な位置に変更することができ、リム吐水による旋回力とゼット吐水による押し込み力とを併用することにより、浮遊系汚物についても効果的に排出することができる。
【００３９】
さらに、本実施形態による水洗大便器１においては、洗浄水源から中央導水路６に供給された洗浄水を中央吐水口８から立壁部２０に向けて吐水し、各後方側リム導水路２２に分流させてリム吐水口２６から吐水を行うと共に、立壁部２０を乗り越えた洗浄水をスリット開口２４から吐水を行うような形態について説明したが、このような形態に限られず、洗浄水源から供給された洗浄水をディストリビュータを用いて複数の箇所に吐水を分配し、この洗浄水の一部を立壁部の背面側に衝突させるように吐水を行ってもよい。これにより、立壁部を乗り越えた洗浄水がリム部の後方面と立壁部との所定の隙間からもボウル部内の後方側に流れ込むことができ、不洗浄部であるリム部の後方面の面積を小さくすることもできるため、便器本体の清掃性を向上させることができる。
【符号の説明】
【００４０】
１    水洗大便器
２    便器本体
４    ボウル部
６    中央導水路
８    中央吐水口
１０    汚物受け面
１２    棚部
１２ａ  後方側棚部
１２ｂ  側方側棚部
１４    リム部
１４ａ  リム部の後方側部分
１４ｂ  リム垂下壁部
１４ｃ  リム垂下壁部の表面
１６    溜水部
１８    排水トラップ管路（排水トラップ部）
１８ａ  排水トラップ管路の入口
２０    立壁部
２０ａ  立壁部の背面
２０ｂ  立壁部の上端
２０ｃ  立壁部の側端部
２０ｄ  立壁部の正面
２２    後方側リム導水路
２２ａ  後方側リム導水路の入口
２２ｂ  後方側リム導水路の上面
２４    スリット開口（隙間）
２６    リム吐水口
２８    凹部
【図１】
2014047561.tif 000003
【図２】
2014047561.tif 000004
【図３】
2014047561.tif 000005
【図４】
2014047561.tif 000006
【図５】
2014047561.tif 000007
【図６】
2014047561.tif 000008
【図７】
2014047561.tif 000009
【図８】
2014047561.tif 000010